(57)【要約】【課題】  鉄系金属部材で形成される遊技機のキャビネットボックスにおいて、安定して遊技装置を載置締結できる底板部の提供【解決手段】  鉄系金属材料の板金部材で形成されて前面開口を有して略矩形箱状に形成されたキャビネットボックス１と、キャビネットボックス１の前面開口を覆って取り付けられる前面扉２と、キャビネットボックス１内および前面扉２に配設される遊技装置４とから構成される遊技機において、キャビネットボックス１の底面１５が、前後方向に延びる凸条ＣＶを有するように形成されて、凸条ＣＶの裏側に遊技装置４の一部を締結固定するための雌ネジ部材７３を配設する構成としている。【選択図】図１
2005111176.tif 000002
【特許請求の範囲】
【請求項１】
鉄系金属材料の板金部材で形成されて前面開口を有して略矩形箱状に形成されたキャビネットボックスと、前記キャビネットボックスの前記前面開口を覆って取り付けられる前面扉と、前記キャビネットボックス内および前記前面扉に配設される遊技装置とから構成される遊技機において、
前記キャビネットボックスの底面が凸条を有するように形成されて、前記凸状の裏面に前記遊技装置の一部を締結固定するための雌ネジ部材が配設されて構成されることを特徴とするキャビネットボックス。
【請求項２】
前記遊技装置が、遊技メダルの払出もしくは貯留を行うメダル払出装置を有して構成され、
前記凸条が前後方向に延びて形成され、
前記メダル払出装置を前記キャビネットボックスに対して前後方向に出入摺動案内するためのホッパーレールが前記凸条面上に載置されて、前記雌ネジ部材により固定されることを特徴とする請求項１に記載のキャビネットボックス。
【請求項３】
前記底面が上底面と下底面からなる二重構造であり、前記上底面が凸条を有するように形成されて前記凸条部の裏面に前記遊技装置の一部を締結固定するための雌ネジ部材の一端が固着されて、前記雌ネジ部材の他端が前記下底面に当接するように構成される請求項１または２に記載のキャビネットボックス。
【発明の詳細な説明】
【技術分野】
【０００１】
本発明は、遊技機のキャビネットボックスに関し、さらに詳しく言えば、金属製キャビネットの底面の構成に関する。
【背景技術】
【０００２】
キャビネットボックスを有する遊技機として、スロットマシン、ポーカー等のメダル遊技機がある。例えばスロットマシンにおいては、前面側に開口部を有して略矩形箱状に形成されたキャビネットボックスと、このキャビネットボックスの前面開口を覆って開閉自在に取り付けられた前面扉とからなる筐体内に、電源ボックス、リール装置、制御基板、メダル払出装置等の各遊技装置が配設されて構成される。このキャビネットボックスは、内部に配設されるこれら遊技装置の重量を支えるに十分耐え得るだけの強度が要求される一方で、遊技施設内への搬出入、および設置作業等の効率化のためには重量が過度に大きくなることは好ましくない。
【０００３】
そこで、現在キャビネットボックスは、厚さ９〜１５ｍｍ程度の木材が主要材料として用いられており、天板、底板、左右側面板および背面板等を箱状に組み立てて構成されている。また、木材には電磁場に対するシールド性がないため、外来ノイズに起因する誤作動の防止にキャビネットボックス内面にシールド塗装が施される。しかしながら、工程が複雑化する上、このような塗装ではシールド効果が万全とは言い難いという問題があった。さらに、木材に施されるシールド塗装に金属が含まれることや、組立工程で木材に埋入される雌ネジ等の金属部材を分離回収することが困難なことから廃棄処理上においても問題がある。これらを鑑みて、シールド効果を十分に有して、且つリサイクルルートが確立されている鋼板等の金属材で形成されるキャビネットボックスの実用が検討されている。
【発明の開示】
【発明が解決しようとする課題】
【０００４】
しかしながら、主要構成材料を金属とすると、従来のようにネジを介して遊技装置を固定するためにはスタッドナット等の雌ネジ部材を板金部材に溶接等の所要の固定手段によって配設しなければならない。このような構成によると、雌ネジ部材がキャビネットボックス内に突出する形となり、例えば、底板上に載置締結される遊技装置をこの雌ネジ部材を用いて固定する際に、雌ネジ部材上に浮いた形となり安定して遊技装置を配設することが困難であるという問題があった。
【０００５】
また、金属部材は木材よりも比重が大きいことから、従来の木工キャビネットと同重量として形成するには金属部材の厚さを薄くせざるを得なく、強度上懸念が生じる。特に、キャビネットボックスの底板上に配設される遊技装置の中でもメダル払出装置は、頻繁に遊技メダルの補充あるいは抜取を行うことなく遊技が円滑に進行されるように予め大量の遊技メダルを貯留するための貯留部が備えられる。このため、遊技中において、遊技メダルも含めたメダル払出装置の総重量は相当なものとなり、キャビネットボックスの底板は遊技装置の安定配設のために特に高い強度が要求される。そこで、金属製キャビネットにおいて過度に筐体の重量を増すことなく底板の強度を向上させることが課題となっている。なお、このメダル払出装置の固定に際しては、メダル払出装置の下端部を折曲形成して左右方向に水平突出するフランジ脚部を設け、この左右のフランジ脚部を外側からガイドして上面を挟みこむホッパーレールを底面に固設して、このホッパーレールのガイドにより前後方向に出入摺動するようにして取り付けられる。
【０００６】
本発明は上記のような課題および問題に鑑みて成されたものであり、遊技機のキャビネットボックスの底板部に載置締結される遊技装置を安定して固定可能な底板を提供することを目的とする。
【課題を解決するための手段】
【０００７】
上記課題を解決するために、本発明に係るキャビネットボックスは、鉄系金属材料の板金部材で形成されて前面開口を有して略矩形箱状に形成されたキャビネットボックスと、キャビネットボックスの前面開口を覆って取り付けられる前面扉と、キャビネットボックス内および前面扉に配設される遊技装置とから構成される遊技機において、キャビネットボックスの底面が凸条を有するように形成されて、凸条の裏側に前記遊技装置の一部を締結固定するための雌ネジ部材が配設する構成としている。
【０００８】
また、遊技装置に遊技メダルの払出もしくは貯留を行うメダル払出装置を有して構成されており、底面凸条がキャビネットボックスの前後方向に延びるように形成され、メダル払出装置をキャビネットボックスに対して前後方向に出入摺動案内するためのホッパーレールが凸条面上に載置されて、雌ネジ部材により固定されることが好ましい。なお、底面を上底面と下底面からなる二重構造に構成し、上底面に凸条を形成してこの凸条の裏面に遊技装置の一部を締結固定するための雌ネジ部材の一端を固着し、この雌ネジ部材の他端を下底面に当接するように構成してもよい。
【発明の効果】
【０００９】
本発明によれば、底面部に凸条を設け、この凸条の裏面に遊技装置を締結するための雌ネジ部材を配設するよう構成することにより、底面に配設される雌ネジ部材がキャビネットボックス内に突出することなく構成されて、底面上に固定される遊技装置を凸条の面上に載置することができ、この遊技装置の重量荷重を凸条全体で受けることができるため、安定して遊技装置を載置締結することができる。
【００１０】
また、凸条がキャビネットボックスの前後方向に延びるように形成することによって、メダル払出装置を固定する際に用いられるホッパーレールを凸条面上に載置して、メダル払出装置を安定配設することができる。また、底面を上底面と下底面からなる二重構造に構成して、上底面に凸条を形成し凸条裏面に雌ネジ部材の一端を固着し、雌ネジ部材の他端を下底面に当接するよう構成することにより、底面上に配設される遊技装置の荷重を上底面と下底面の両方で支持することができ、底面の剛性を高めることができる。
【発明を実施するための最良の形態】
【００１１】
以下、本発明の好ましい実施形態について図面を参照して説明する。本発明に係るキャビネットボックスを有した遊技機の一例として挙げるスロットマシンの全体的な構成について、図５，図６を参照してまず説明する。このスロットマシンＳＭは、前面が開口した略矩形箱状のキャビネットボックス１と、ヒンジ金具５１を介してキャビネットボックス１に開閉可能に取り付けられる前面扉２とから構成されており、スロットマシンＳＭの遊技装置３がキャビネットボックス１内および前面扉２に配設されて全体をなす。
【００１２】
略矩形箱状のキャビネットボックス１内に配設される遊技装置３としては、外部から電力供給を受けて内部装置に必要な電力を供給する電源ボックス３０、図柄が描かれた３つのリール３１ａ，３１ｂ，３１ｃを回転・停止させるリール装置３１、遊技者の操作に応じたリール装置３１の作動制御やその他スロットマシンＳＭの遊技制御を行うための主制御基板３２、主制御基板３２からの指令に基づいてメダルの払い出しを行うメダル払出装置３３、遊技機の出玉データ等の遊技情報を管理するために遊技施設内に設置されたホールコンピュータ（図示せず）と主制御基板３２との間を接続するインターフェイスとしての外部集中端子基板３４等があり、それぞれ図６に示すように配設される。
【００１３】
なお、メダル払出装置３３はキャビネットボックス１の底面１５上に配設される。配設に際して、メダル払出装置３３の下端部を折曲形成して左右方向に水平突出するフランジ脚部が設けられるとともに、この左右のフランジ脚部を外側からガイドして上面を挟みこむホッパーレール７７，７７が底面１５上に固設される。メダル払出装置３３は、このホッパーレール７７，７７のガイドにより前後方向に出入摺動するようにして取り付けられる。
【００１４】
一方前面扉２は、ドアフレーム状に成型されたフロントマスク２０に、リール外周面に描かれた図柄を所定範囲に限って視認可能に透過表示させる表示窓２１、表示窓２１の下側に左右に並んで配設された複数のスイッチやレバー等からなる操作部４、表示窓２１の上方に配設された表示装置２２、遊技メダルを払い出すメダル払出口２３の下側に位置してメダル払出口２３から排出される遊技メダルを受容し貯留するメダル受皿２２等が取り付けられて構成されている。
【００１５】
操作部４には、遊技メダルを投入するメダル投入口４１、１回の遊技に消費するメダル枚数を決定するベットボタン４２、リールの回転起動操作を行うスタートレバー４３、３つのリール３１ａ，３１ｂ，３１ｃに対応して設けられリールの回転停止をリールごとに操作可能なストップスイッチ４４ａ，４４ｂ，４４ｃ、獲得した遊技メダルの払出操作を行う精算スイッチ４５、メダル投入口４１から投入した遊技メダルを返却させるときに操作するメダル返却スイッチ４６等が設けられている。
【００１６】
また、図６に示すように、前面扉２の背面側には、効果音を発するためのスピーカ３６、メダル投入口４１から投入された遊技メダルを受容する受付状態とメダル払出口２３から返却させる返却状態とに切り替えたり、投入された遊技メダルの真贋を判定して正規メダル以外の遊技メダルを返却させたりする機能を有するメダルセレクタ３７、メダルセレクタ３７からの遊技メダルを貯留または返却させる経路部材等が設けられるとともに、遊技状態を演出する多数のランプやＬＥＤ、これら表示機の作動を制御する中央表示基板３８および上部表示基板３９等が取り付けられている。
【００１７】
キャビネットボックス１と前面扉２とは、正面視における互いの左側縁の上下に設けられたヒンジ金具５１，５１で横開き開閉可能に連結されるとともに、両者に配設された遊技構成装置や基板等がワイヤーハーネス（図示せず）で電気的に接続されて作動可能に構成される。また、ヒンジ金具５１，５１を介してキャビネットボックス１に連結された前面扉２を開放状態にした際には、キャビネットボックス１全体が撓み変形して前面扉２の反ヒンジ側が垂れ下がる傾向にあるため、前面扉２裏側にガイドローラ５３を設け、キャビネットボックス１内にローラ受け５４を設けて、前面扉２を閉鎖したときにガイドローラ５３とローラ受け５４とを当接させて、前面扉２が水平支持されるように構成されている。さらに、前面扉２は、正面視における右側縁に取り付けられた施錠装置５２を利用してキャビネットボックス１の前面開口部を覆うように閉鎖施錠され、この閉鎖状態でスロットマシンＳＭが遊技に供される。
【００１８】
以上のように構成されるスロットマシンＳＭにおいて、図１に外観斜視図を示した本実施例のキャビネットボックス１は、板厚０．５〜１．０ｍｍ程度（例えば、０．７ｍｍ）の冷間圧延鋼板、鍍金鋼板、ステンレス鋼板等を主要構成材料として用い、これをシャーリング、パンチング、ベンディング等の公知の加工手段によりパネル部材１０に成型した後、各板金部材をスポット溶接等の接合手段により接合して組み立てている。例示するキャビネットボックス１では、天板面１１、背面１２、左右側面１３，１４、および下底面１５ａを形成するメインパネル１０ａ、上底面１５ｂを形成する上底面パネル１０ｂ、キャビネットの強度を向上させるための補強リブ１０ｃ等の各パネル部材をスポット溶接により接合して構成している。なお、開口部正面視において左側の側面を左側面１３、右側の側面を右側面１４としてこれ以降説明する。
【００１９】
キャビネットボックス１の天板面１１、背面１２、左右側面１３，１４、下底面１５ａは、所定形状に形成されたメインパネル１０ａがベンディングされて突き合わせ部が溶接により接合されることよって前面が開口した略矩形箱の各面が形成される。即ち、本実施例に係るキャビネットボックス１の基本的構造はメインパネル１０ａの一枚で成型されており、一面につき一枚のパネルを用いる等、複数枚のパネルで構成するよりも部品点数および組立工数を削減することができる。
【００２０】
天板面１１および背面１２には、キャビネット内に熱を放熱して主制御基板３２等の誤作動を防ぐための通気孔が予め穿設される。なお、通気孔は、例示する長孔や丸孔の他、所定形状の孔を多数設けてパンチングメタル状ないし格子状に形成してもよい。また、ルーバ加工やランス加工を施して通気させることも可能である。
【００２１】
天板面１１、背面１２および左右側面１３，１４において、リール装置３１、主制御基板３２等の遊技装置３を締結固定するための雌ネジ部材７３が溶接される。雌ネジ部材７３としては、本実施例に適用したように、スタッドナットをキャビネット１内に突出するように溶接してもよいし、溶接六角ナットを各面１１〜１４の所定箇所に溶接し、溶接されたナットの呼びに合わせた貫通孔を穿設して構成してもよい。また、雌ネジ部材７３の固定手段は溶接に限らず、バーリング加工によって雌ネジ部材７３を一体成型する方法や、雌ネジ部材７３としてブラインドナットを適用し、これをかしめて固定してもよい。
【００２２】
左右側面１３，１４には、キャビネットボックス１の剛性を高めるために、エンボス加工（例えば、菱形状）が多数施されている。また、左右側面１３，１４の中央部には予め所要形状の貫通孔が穿設されており、鋼板材が絞り加工されて断面Ω字状に形成された取っ手部材７１，７１がキャビネットボックス１の内側からこの孔に覆設される。取っ手部材７１，７１は、フランジ部が左右側面１３，１４内側に当接され、絞り部がキャビネットボックス１内に水平に突出するように配設されており、フランジ部と側面内側との当接部においてスポット溶接によりメインパネル１０ａと接合される。
【００２３】
また、取っ手部材７１，７１の水平に突出した絞り部の上には、リール装置３１を載置するための棚板７２が取り付けられる。なお、棚板７２の取り付けは、溶接で棚板７２をキャビネットボックス１に固定する手段のほか、例えば、左右側面１３，１４の所定位置にスタッドナットを溶接しておき、このスタッドを用いて棚板７２を締結する手段や、左右側面１３，１４に予め所定ピッチでネジを設けた補助部材を溶接しておき、この補助部材に棚板７２をネジ締結する手段、左右側面１３，１４の所定位置に係止フックを溶接しておき、この係止フックに棚板７２を係止させる手段など、どの様な手段で取り付けてもよい。但し、溶接以外の手段を用いる場合には、棚板７２がキャビネットボックス１に確実に電気的に接続されるよう取り付ける点に留意し、例えば、棚板７２をユニクロメッキ仕上げにするとともにキャビネットボックス１側のネジ部を無塗装とし、ネジを介して電気的に接続させる手段や、キャビネットボックス１と棚板７２とにそれぞれスタッドナットを溶接しておき、これ等のスタッドナット間をアース線で電気的に接続させる等の手段を採ることが好ましい。
【００２４】
また、天板面１１の左右には、この天板面１１の上下を貫通してスリット状の貫通孔部１１ａ，１１ａが形成されており、左右側面１３，１４において貫通孔部直下に図示しないボルトとナットを用いてキャビネット固定装置７４，７４が取り付けられる。キャビネット固定装置７４は、鋸刃状に形成された鋼板材を貫通孔部１１ａからばねの弾性力を利用することにより出入自在に操作できるよう構成されて、突出状態においてこの鋼板材を一般に木製の筐体設置枠（図示せず）に押圧して係合固定させる。このような固定方法によって、設置枠上方からの釘打ちという従来の固定手段を用いることが困難な金属製キャビネットにおいても、天板面１１と設置枠との固定が可能となる。
【００２５】
また、左側面１３には、主制御基板３２と中央制御基板３８および上部制御基板３９との間、あるいは主制御基板３２と電源ボックス３０との間等を連結するワイヤーハーネス（図示せず）を係止するための係止具が取り付けられる。このワイヤーハーネス係止具７５は、指力により変形可能な金属部材がＣ字状に形成されて、左側面１３内側にスポット溶接により接合される。なお、係止具として、従来適用されていた樹脂材で形成される結束バンドを所要の固定手段で左側面１３に固定してもよい。
【００２６】
また、キャビネットボックス１前面の開口縁部において、断面略Ｕ字状に形成された補強リブ１０ｃが辺縁部を繋ぐように周設されており、メインパネル１０ａとスポット溶接により接合されている。
【００２７】
この補強リブ１０ｃ上には、キャビネットボックス１の開口縁部に配設される遊技装置３や組立部材を取り付けるための雌ネジ部材７３としてスタッドナットが溶接されている。左側面１３に配設される補強リブ１０ｃ上には、ヒンジ金具５１，５１を締着固定するためのスタッドナットが溶接される。右側面１４に配設される補強リブ１０ｃ上には、施錠装置５２およびレール受け５４を締着固定するためのスタッドナットが溶接される。下底面１５ａに配設される補強リブ１０ｃには、メダル払出装置３３の出入摺動を平滑にさせるとともにホッパーレール７７を固定するためのブラケット（図示せず）を締着固定するためのスタッドナットが溶接される。なお、天板面１１、右側面１４、下底面１５ａに配設される補強リブ１０ｃのＵ字状凹部は直線的な平面に形成されているが、左側面１３においては、図１に示すように、ヒンジ金具５１，５１の締着固定に用いるスタッドナット周辺については、取り付けられるヒンジ金具５１，５１の奥行き分だけＵ字状凹部が背面１２方向に拡幅するように形成されている。
【００２８】
このようにして補強リブ１０ｃを設けることにより、前面扉２から受ける重量負荷を補強リブ１０ｃが受け止めてキャビネットボックス１の基本構造を成すメインパネル１０ａの撓み変形を大幅に軽減することができるとともに、水平支持のために配設されるガイドローラ５３およびローラ受け５４を大掛かりなものとする必要がなくなる。
【００２９】
また、電源ボックス３０、および外部集中端子基板３４の固定は、平板状に形成されて裏側に雌ネジ部材７３としてスタッドナットが溶接されるとともにナットの呼びに合わせて貫通孔が穿設されたブラケットパネル１０ｄ，１０ｅを介して行われる。電源ボックス３０を固定するためのブラケットパネル１０ｄは、左側面１３下部を覆うようにして配設されて、３つのフランジ部が背面１２、左側面１３、左側面１３に配設される補強リブ１０ｃにそれぞれスポット溶接により接合される。外部集中端子基板３４を固定するブラケットパネル１０ｅは、フランジが右側面１４にスポット溶接により接合される。このように配設されるブラケットパネル１０ｄ，１０ｅの平状面に、電源ボックス３０および外部集中端子基板３４がそれぞれ当接されて締結固定される。ブラケットを介してメインパネル１０ａに直接固定しないことにより、板厚が薄くなった金属製キャビネットでも従来の木工キャビネットと同様の固定位置で固定できるとともに、遊技中にキャビネットボックス１と前面扉２の間隙からピアノ線を侵入させる等の遊技不正行為に対して未然に防ぐことができる。
【００３０】
キャビネットボックス１の底面１５は、図２〜図４に示す通り、下底面１５ａを構成するメインパネル１０ａ、上底面１５ｂを構成する上底面パネル１０ｂ、強度を向上させるための補強リブ１０ｃとから構成される。
【００３１】
下底面１５ａは、前述の通り、メインパネル１０ａが曲げ加工されてキャビネットノックスの基本構造をなすことにより形成される。また、補強リブ１０ｃは、断面視Ｕ字状に形成されて、フレーム上の所定位置においてホッパーレール７７の取付ブラケットを締結するためのスタッドナットが溶接されている。補強リブ１０ｃは、Ｕ字凹状部をキャビネットボックス１の矩形状開口の下辺縁部に当接させて、スポット溶接によって下底面１５ａに接合される。
【００３２】
本実施例に例示する上底面パネル１０ｂは、図３に示すように、断面視ハット状に形成されて複数の凸条ＣＶおよび凹条ＣＣを有する。また、電源ボックス３０およびホッパーレール７７を締結固定するための雌ネジ部材７３としてスタッドナットが凸条ＣＶ裏側に溶接されて、その表側からこのスタッドナットの呼びにあわせて貫通孔が穿設される。なお、上底面パネル１０ｂは、ハット高さの長さをスタッドナット高さと同長として加工される。
【００３３】
このように形成された上底面パネル１０ｂは、凹凸条ＣＶ，ＣＣの向きがキャビネットボックス１前後方向となるようにして、下底面１５ａのほぼ全体を覆うように配設されるとともに、凹条ＣＣと下底面１５ａとがスポット溶接により接合される。また、凸条ＣＶ裏面に溶接されたスタッドナットの他端部は、ハット高さとスタッドナット高さが同長であるため下底面１５ａに当接されて、底面１５は、上底面１５ｂと下底面１５ａと上下底面間に介設されたスタッドナットとによって一体形成された二重構造に構成される。
【００３４】
このように構成される底面１５において、底面左部の凸条ＣＶ１に溶接されたスタッドナットおよびブラケットパネル１０ｄに溶接されたスタッドナットを用いて、凸条ＣＶ１上に電源ボックスが締結固置される。また、凸条ＣＶ２，ＣＶ３に溶接されたスタッドナットにホッパーレール７７，７７が締結固定されて、メダル払出装置３３を設置可能とする。
【００３５】
また、底面央部の凹条ＣＣ２においては、接合された下底面１５ａを形成するメインパネル１０ａとともに貫通小孔が穿設される。この小孔を介して、キャビネットボックス１内から一般に木製の筐体設置枠（図示せず）に向けて釘打ちすることが可能となる。なお、底面右部の凹条ＣＣ３においては、メダル貯留部の貯留許容量を超えた余剰メダルが設置枠台内部に配設されたメダルコンベヤ（図示せず）に回収されるように、余剰メダルを通過させて設置枠台内部へ落下させるための貫通孔が穿設される。また、メダルコンベヤが設置されていない遊技施設においては、貫通孔の上に補助貯留ボックス７６が覆設されて、このボックス内で余剰メダルを回収する。なお、補助貯留ボックス７６は、背面１２に予め穿設された貫通孔と補助貯留ボックス７６の背面に穿設された貫通孔の両孔にボルトを貫入させて固定される。
【００３６】
以上のような底面１５の構成により、従来の木工キャビネットよりも板厚が薄く強度上懸念のあった金属製キャビネットにおいて、雌ネジ部材７３上に浮いた形とならず電源ボックス３０およびホッパーレール７７を平状面上に締結固定することが可能であり、安定してこれらの遊技装置３を底板１５上に配設することができる。また、上底面１５ｂの凹条ＣＣと下底面が当接し、さらに上下底面間に介設したスタッドナットと一体化されることによって、底面１５の剛性が高められて、これら遊技装置３の荷重を上下底面で安定支持できる構成となっている。
【００３７】
なお、上記実施例では、底板部の構成を上底板および下底板とからなる二重構造とし、上底面パネルが下底板のほぼ全体を覆うように設けられたが、必ずしもこのような構成に限らず、底板面の雌ネジ部材がキャビネットボックス内に突出せず、ホッパーレール、および電源ボックスが平状に形成された面上に配設できるような構成であればよい。例えば、ハット状のブラケットを本実施例の凸条の代替として、ブラケットのフランジと下底面との当接部分においてスポット溶接によって接合してもよい。また、メインパネル１０ａの底板１５部を曲げ加工することによって凸条形成を行うことも可能である。
【００３８】
なお、本実施例において、本発明に係るキャビネットボックスを適用した遊技機としてスロットマシンを例示したが、本発明はこれに限定されるものではなく、ポーカー、ブラックジャック等、他の遊技機のキャビネットボックスであっても同様に適用可能であり、同様の効果を得ることができる。
【図面の簡単な説明】
【００３９】
【図１】本発明に係るキャビネットボックスの外観斜視図である。
【図２】本発明に係るキャビネットボックスの底板部の平面図である。
【図３】本発明に係るキャビネットボックスの底板部の断面図であり、図２中にIII−III矢視で示す矢視図である。
【図４】本発明に係るキャビネットボックスの底板部の断面図であり、図２中にIV−IV矢視で示す矢視図である。
【図５】本発明に係るキャビネットボックスを適用した遊技機の一例として示すスロットマシンの外観斜視図である。
【図６】上記スロットマシンのフロントマスクを開放して内部構造を示す正面図である。
【符号の説明】
【００４０】
ＳＭ  スロットマシン
１  キャビネットボックス
２  前面扉
３  遊技装置
４  操作部
１０  パネル部材
１０ａ  メインパネル
１０ｂ  上底面パネル
１５  底面
１５ａ  下底面
１５ｂ  上底面
３０  電源ボックス
３３  メダル払出装置
７３  雌ネジ部材
７７  ホッパーレール
ＣＶ  凸条
ＣＣ  凹条
【図１】
2005111176.tif 000003
【図２】
2005111176.tif 000004
【図３】
2005111176.tif 000005
【図４】
2005111176.tif 000006
【図５】
2005111176.tif 000007
【図６】
2005111176.tif 000008